(57)【特許請求の範囲】
【請求項１】
境界が近接するコンクリート建築物の地中コンクリート構築体の最下端縁を一定高さまでハツリ除去し、該ハツリ空隙内に地中コンクリート構築体を受ける土を充填して仮土台を形成しながら最下端縁全体のハツリ解体を行ない、ハツリ解体後、解体高さまで盛土して嵩上げ地盤を形成する工程を上部に向かって段階的に行ない地中コンクリート構築体を撤去する境界近接地中コンクリート構築体の解体工法において、軟弱地盤や湿潤した地盤で地中コンクリート構築体の最下端縁を解体する際、地中コンクリート構築体の重量を支える強度と沈下を防止する底面積を有する躯体を残してハツリを行い、ハツリ空隙に土を充填して地中コンクリート構築体を支える仮土台を形成して最下端縁全体のハツリ解体後、解体により軽減された構築体の重量に応じて重量を受ける最下端縁の躯体を減らしてハツリを行い仮土台を形成し、残存する躯体を仮土台に置き換えることを特徴とする境界近接地中コンクリート構築体の解体工法。
【請求項２】
境界が近接するコンクリート建築物の地中コンクリート構築体の最下端縁を一定高さまでハツリ除去し、該ハツリ空隙内に地中コンクリート構築体を受ける土を充填して仮土台を形成しながら最下端縁全体のハツリ解体を行ない、ハツリ解体後、解体高さまで盛土して嵩上げ地盤を形成する工程を上部に向かって段階的に行ない地中コンクリート構築体を撤去する境界近接地中コンクリート構築体の解体工法において、軟弱地盤や湿潤した地盤で地中コンクリート構築体の最下端縁を解体する際、地中コンクリート構築体に地中コンクリート構築体の重量を支えるジャッキ設置用の空間をハツリ、該ハツリ空間にジャッキベースにより受圧面積を拡大したジャッキを設置して地中コンクリート構築体の重量を支えたうえ、地中コンクリート構築体の最下端縁をハツリ、ハツリ空隙に土を充填して地中コンクリート構築体を支える仮土台を形成して最下端縁全体をハツリ解体後、解体により軽減された構築体の重量に応じて減らしたジャッキ数分のジャッキ設置用空間を重量を受ける最下端縁の躯体にハツリ形成し、該ジャッキ設置用空間にジャッキを設置して構築体を受けたうえ、躯体のハツリを行い仮土台を形成し、残存する躯体を仮土台に置き換えることを特徴とする境界近接地中コンクリート構築体の解体工法。
【発明の詳細な説明】
【技術分野】
【０００１】
本発明は軟弱地盤や湿潤した地盤で境界が近接する建築物の地中コンクリート構築体を安全に解体すると同時に解体跡地を更地にする境界近接地中コンクリート構築体の解体工法に関するものである。
【背景技術】
【０００２】
ビル建築物の解体は屋上から始めて順次下層階に向って解体を行ない地上階層の解体が完了したら。次いで、地盤中の階層を順次下層に向って行なうのが一般的である。しかし、地中階の解体により地盤が露呈すると崩落の危険性がある。また、解体建築物が隣接する建築物と近接している場合、地中の階層の解体により近接する建築物の支えがなくなって倒壊する恐れがあるため、解体前にビル建築物の周囲をＨ形鋼で土留めを行う必要がある。
【０００３】
そこで、土留めを行わなくてもよいように、地中コンクリート構築体を最下端縁から解体する工法も考えられるが、この工法は軟弱地盤や地下水により湿潤された地盤に建築物が構築されていたり、降雨により地盤が湿潤されたりすると、地盤と地中コンクリート構築体との摩擦抵抗が低下する。このような状況で交通機関等の振動等が地中構築体に加わると、地中コンクリート構築体が滑落する恐れがある。このような滑落が作業中に発生すると人身事故を起こす原因となる問題がある。
【０００４】
【発明の概要】
【発明が解決しようとする課題】
【０００５】
本発明は軟弱地盤や湿潤した地盤において地中コンクリート構築体のハツリ作業中、地中コンクリート構築体の滑落による人身事故を防止する境界近接地中コンクリート構築体の解体工法を提供することを目的とするものである。
【課題を解決するための手段】
【０００６】
本発明は、境界が近接するコンクリート建築物の地中コンクリート構築体の最下端縁を一定高さまでハツリ除去し、該ハツリ空隙内に地中コンクリート構築体を受ける土を充填して仮土台を形成しながら最下端縁全体のハツリ解体を行ない、ハツリ解体後、解体高さまで盛土して嵩上げ地盤を形成する工程を上部に向かって段階的に行ない地中コンクリート構築体を撤去する境界近接地中コンクリート構築体の解体工法において、軟弱地盤や湿潤した地盤で地中コンクリート構築体の最下端縁を解体する際、地中コンクリート構築体の重量を支える強度と沈下を防止する底面積を有する躯体を残してハツリを行い、ハツリ空隙に土を充填して地中コンクリート構築体を支える仮土台を形成して最下端縁全体のハツリ解体後、解体により軽減された構築体の重量に応じて重量を受ける最下端縁の躯体を減らしてハツリを行い仮土台を形成し、残存する躯体を仮土台に置き換えることを特徴とする境界近接地中コンクリート構築体の解体工法を請求項１の発明とする。
【０００７】
また、境界が近接するコンクリート建築物の地中コンクリート構築体の最下端縁を一定高さまでハツリ除去し、該ハツリ空隙内に地中コンクリート構築体を受ける土を充填して仮土台を形成しながら最下端縁全体のハツリ解体を行ない、ハツリ解体後、解体高さまで盛土して嵩上げ地盤を形成する工程を上部に向かって段階的に行ない地中コンクリート構築体を撤去する境界近接地中コンクリート構築体の解体工法において、軟弱地盤や湿潤した地盤で地中コンクリート構築体の最下端縁を解体する際、地中コンクリート構築体に地中コンクリート構築体の重量を支えるジャッキ設置用の空間をハツリ、該ハツリ空間にジャッキベースにより受圧面積を拡大したジャッキを設置して地中コンクリート構築体の重量を支えたうえ、地中コンクリート構築体の最下端縁をハツリ、ハツリ空隙に土を充填して地中コンクリート構築体を支える仮土台を形成して最下端縁全体をハツリ解体後、解体により軽減された構築体の重量に応じて減らしたジャッキ数分のジャッキ設置用空間を重量を受ける最下端縁の躯体にハツリ形成し、該ジャッキ設置用空間にジャッキを設置して構築体を受けたうえ、躯体のハツリを行い仮土台を形成し、残存する躯体を仮土台に置き換えることを特徴とする境界近接地中コンクリート構築体の解体工法を請求項２の発明とするものである。
【発明の効果】
【０００８】
本発明は、地中コンクリート構築体の最下端縁を解体する際、地中コンクリート構築体の重量を支える強度と沈下を防止する底面積を有する躯体を残してハツリを行い、ハツリ空隙に土を充填して地中コンクリート構築体を支える仮土台を形成しながら、残存する躯体を仮土台に置き換えることにより、軟弱地盤や地下水や雨水により湿潤された地盤中の地中コンクリート構築体がハツリ空隙に滑落することがないので、作業中の人身事故を的確に防止できるので、安全に解体作業を行なえる。
【０００９】
請求項２のように、地中コンクリート構築体の最下端縁を解体する際、地中コンクリート構築体に地中コンクリート構築体の重量を支えるジャッキ設置用の空間をハツリ、該ハツリ空間にジャッキベースにより受圧面積を拡大したジャッキを設置して地中コンクリート構築体の重量を支えたうえ、地中コンクリート構築体の最下端縁をハツリ、ハツリ空隙に土を充填して地中コンクリート構築体を支える仮土台を形成後、ジャッキを撤去してジャッキ設置用のハツリ空間を仮土台に置き換えることにより、軟弱地盤や地下水や雨水により湿潤された地盤中の地中コンクリート構築体がハツリ空隙に滑落することがないので、作業中の人身事故を的確に防止できるので、安全に解体作業を行なえる。また、ハツリ作業による寸法精度が悪くてもジャッキにより高さ調整ができるので地中コンクリート構築体を適正に受けることができるうえに、地中コンクリート構築体からのジャッキ除去も簡単となる。さらに、地中コンクリート構築体の解体が上部に進むにつれて設置するジャッキ数を低減することができるから、ジャッキ設置用のハツリ空間を減らすことができるうえに、ジャッキ設置作業や、ジャッキ撤去作業時間を上部に進むほど短縮できる。
【図面の簡単な説明】
【００１０】
【図１】本発明の解体工法の第１の実施例を示す工事前の一部切欠斜視図である。
【図２】同じく上層階を解体した地中コンクリート構築体を示す一部切欠斜視図である。
【図３】同じくコンクリート土間を解体した状態を示す一部切欠斜視図である。
【図４】同じく地中コンクリート構築体の重量を支える躯体を残すとともに切梁を張設して最下端縁を解体高さでハツリを行った状態を示す一部切欠斜視図である。
【図５】同じく図４の断面図である。
【図６】同じくハツリ空隙に土を充填して仮土台を形成した状態を示す断面図である。
【図７】同じく残りの躯体のハツリを行った状態を示す断面図である。
【図８】同じくハツリ空隙に土を充填して仮土台を形成した状態を示す断面図である。
【図９】同じく解体高さまで盛土されて嵩上げ地盤が形成された状態を示す一部切欠斜視図である。
【図１０】同じく地中コンクリート構築体の重量を支える躯体を残して解体下端縁のハツリを行った状態を示す断面図である。
【図１１】同じく図１０のハツリ空隙に土を充填した仮土台を形成した状態を示す断面図である。
【図１２】同じく解体下端面の残りの躯体のハツリを行った状態を示す断面図である。
【図１３】同じくハツリ空隙に仮土台を形成したうえ解体高さまで盛土されて嵩上げ地盤が形成された状態を示す断面図である。
【図１４】同じく地中コンクリート構築体の解体と盛土による嵩上げ地盤を地表面まで形成した状態を示す断面図である。
【図１５】本発明による解体工法の第２の実施例を示すもので、ジャッキ設置空隙のハツリを行った状態を示す断面図である。
【図１６】同じくハツリ空隙にジャッキを設置した状態を示す断面図である。
【図１７】同じく地中コンクリート構築体の別の位置にジャッキ設置空隙のハツリを行った状態を示す断面図である。
【図１８】同じく別のハツリ空隙にジャッキを取付けた状態を示す断面図である。
【図１９】同じくジャッキに支えられた地中コンクリート構築体の最下端縁のハツリを行ってハツリ空隙に土を充填して仮土台を形成した状態を示す断面図である。
【図２０】同じくジャッキを撤去して解体高さまで盛土して嵩上げ地盤を形成した状態を示す一部切欠斜視図である。
【図２１】同じく解体下端縁にジャッキ設置空隙のハツリを行った状態を示す断面図である。
【図２２】同じくハツリ空隙にジャッキを設置するとともに、地中コンクリート構築体の別の位置にジャッキ設置空隙のハツリを行った状態を示す断面図である。
【図２３】同じくジャッキに支えられた地中コンクリート構築体の解体下端縁のハツリを行ってハツリ空隙に土を充填して仮土台を形成した状態を示す断面図である。
【図２４】同じく地中コンクリート構築体の解体と解体高さまで盛土して嵩上げ地盤を地表面まで形成した状態を示す断面図である。
【発明を実施するための形態】
【００１１】
次に、本発明の第１の実施例を図１〜１４に基づいて詳細に説明する。
図１において、１は軟弱地盤や湿潤した地盤の隣接建物Ａ間に建設されたコンクリート建築物、２はコンクリート建築物１の地盤中に構築された地中コンクリート構築体であり、該地中コンクリート構築体２はコンクリート建築物１を支える基礎及び地下階をいう。
【００１２】
３は地中コンクリート構築体２の対向壁面間に張設される多数の切梁であり、該切梁３は壁体が土圧で崩壊するのを防止するものである。
【００１３】
コンクリート建築物１は図２に示されるように、先ず地上の上層階を解体する。そして、上層階が解体されたら、図３に示されるように切梁３を対向壁面間に張設したうえ地中コンクリート構築体２の解体を行なう。
【００１４】
地中コンクリート構築体２の解体は、図３に示されるように、先ず、地中コンクリート構築体２の底部のコンクリート土間６をハツリ解体する。コンクリート土間６の解体後、図４に示されるように、地中コンクリート構築体２の最下端縁を一定の解体高さまでハツリ除去する。このハツリは地中コンクリート構築体２の重量を支えられるだけの躯体を残して行なわれる。残される躯体は軟弱地盤や湿潤した地盤で周壁面との摩擦抵抗がなくなったとしても、地中コンクリート構築体の重量を受ける強度と地盤内に地中コンクリート構築体２が沈下しない底面積を有するものとする。
【００１５】
前述では地中コンクリート構築体２を受ける躯体は壁体としているが、柱を残して地中コンクリート構築体２を受けるようにしてもよく、また、柱と壁体により地中コンクリート構築体２の重量を受けてもよいことはいうまでもない。そして、ハツリが行なわれたハツリ空隙Ｂには図６に示されるように、土を充填して地中コンクリート構築体２の重量を支える仮土台５とする。
【００１６】
続いて、図７に示されるように、ハツリ空隙Ｂに充填された仮土台５で支えられている地中コンクリート構築体２の残りの躯体のハツリを行なう。このハツリは仮土台５のみで地中コンクリート構築体２の重量が支えられるときには図８に示されるように、残存する躯体全部をハツリ、そのハツリ空隙Ｂに土を充填して仮土台５を形成する。
【００１７】
そして、地中コンクリート構築体２が仮土台５だけで支えられたら、図９に示されるように、解体高さまで盛土を行なって嵩上げ地盤８を形成する。
【００１８】
このようにして、最下端縁の解体が完了したら、図１０に示されるように、切梁３を取り外すとともに、解体下端縁のハツリを前記と同様にして行なう。このとき地中コンクリート構築体２の重量は前述の解体分だけ軽減されているので、地中コンクリート構築体２の重量を受ける躯体は減らすことができる。仮土台５に囲まれた手間のかかる躯体のハツリ作業が減ることとなる。そして、図１１に示されるように、ハツリを行なったハツリ空隙Ｂに土を充填して仮土台５を形成する。
【００１９】
さらに、図１２に示されるように、ハツリ空隙Ｂに充填された仮土台５により受けられている地中コンクリート構築体２の残りの躯体のハツリを行なう。このハツリの際、仮土台５が地中コンクリート構築体２の重量を支えられるときには残りの躯体全部をハツリ、ハツリ空隙Ｂに土を充填して仮土台５とする。
【００２０】
形成した仮土台５が地中コンクリート構築体２の重量を支えられない時には、躯体の一部を残してハツリ、ハツリ空隙Ｂに土を充填して仮土台５を形成する。このような作業工程を繰り返して地中コンクリート構築体２の重量を支えられる仮土台５が形成されたら残りの躯体全部のハツリを行なったうえハツリ空隙Ｂに土を充填して仮土台５により地中コンクリート構築体２を受ける。次いで、図１３に示されるように、解体高まで盛土が行なわれて嵩上げ地盤８を形成する。
【００２１】
このような工程を繰り返して地中コンクリート構築体２の下端縁を順次上方に向かって解体しながら盛土を行なうことにより、軟弱地盤や湿潤した地盤における地中コンクリート構築体２を極めて安全に解体するとともに、盛土により地盤を地表面まで嵩上げして図１４に示されるような更地７とすることができる。
【００２２】
次に、第２の実施例を図１５〜２４に基づいて詳細に説明する。
まず、図１５〜図１８に示されるように、軟弱地盤や湿潤した地盤における地中コンクリート構築体２の最下端縁にジャッキ４を設置する空隙を切欠するハツリを行なう。このハツリは地中コンクリート構築体２の重量を支えることができるジャッキ数に基づいて行なわれる。このようにして形成されたハツリ空隙Ｂにジャッキ４を介入させたうえジャッキアップして地中コンクリート構築体２を支える。ジャッキ４の下端に図示しないジャッキベースを敷いて受圧面積を拡大してジャッキ４が地盤に沈み込まないようにする。
【００２３】
前記のようにして取り付けた多数のジャッキ４により地中コンクリート構築体２を保持したうえ、図１８に示されるように、地中コンクリート構築体２の最下端縁全てのハツリを行ない、ハツリが行なわれたハツリ空隙Ｂに図１８に示されるように、土を充填して地中コンクリート構築体２の重量を受ける仮土台５を形成する。
【００２４】
図１９、２０に示されるように、地中コンクリート構築体２の重量を仮土台５で受けさせたうえ、地中コンクリート構築体２を保持していたジャッキ４を撤去するとともに、ジャッキ４を設置していた空隙に土を充填するとともに、解体高まで盛土を行なって嵩上げ地盤８を形成する。
【００２５】
このようにして、最下端縁の解体が完了したら、図２１に示されるように、切梁３を取り外すとともに、解体下端縁にジャッキ４を取付ける空隙を前記と同様にしてハツル。このとき地中コンクリート構築体２の重量は解体分だけ軽減されているので、地中コンクリート構築体２の重量を受けるジャッキ４の数は少なくなる。これにより手間のかかるジャッキ４の設置のためのハツリ及びジャッキ４の設置に要する時間は上部に解体が進むほど短縮され、工期が短縮され解体費用を低減できる。
【００２６】
そして、図２２に示されるように、ハツリ空隙Ｂにジャッキ４を設置したうえ、解体下端縁全てをハツリ、ハツリ空隙Ｂに土を充填して仮土台５を形成する。続いて、図２３に示されるように、ジャッキ４を撤去すると同時に解体高さま盛土を行なって嵩上げ地盤８を形成する。
【００２７】
このような工程を繰り返して地中コンクリート構築体２の下端縁を順次上方に向かって解体しながら盛土を行なうことにより、軟弱地盤や湿潤した地盤における地中コンクリート構築体２を極めて安全に解体するとともに、盛土により地盤を地表面まで嵩上げして図２４に示されるような更地７とすることができる。
【符号の説明】
【００２８】
１  コンクリート建築物
２  地中コンクリート構築体
３  切梁
４  ジャッキ
５  仮土台
６  コンクリート土間
７  更地
８  嵩上げ地盤
Ａ  隣接建物
Ｂ  ハツリ空隙
【図１】
0005971546.tif 000002
【図２】
0005971546.tif 000003
【図３】
0005971546.tif 000004
【図４】
0005971546.tif 000005
【図５】
0005971546.tif 000006
【図６】
0005971546.tif 000007
【図７】
0005971546.tif 000008
【図８】
0005971546.tif 000009
【図９】
0005971546.tif 000010
【図１０】
0005971546.tif 000011
【図１１】
0005971546.tif 000012
【図１２】
0005971546.tif 000013
【図１３】
0005971546.tif 000014
【図１４】
0005971546.tif 000015
【図１５】
0005971546.tif 000016
【図１６】
0005971546.tif 000017
【図１７】
0005971546.tif 000018
【図１８】
0005971546.tif 000019
【図１９】
0005971546.tif 000020
【図２０】
0005971546.tif 000021
【図２１】
0005971546.tif 000022
【図２２】
0005971546.tif 000023
【図２３】
0005971546.tif 000024
【図２４】
0005971546.tif 000025